(57)【要約】【課題】ディスプレイ装置を提供する。【解決手段】第１基板上に配置される複数のＯＬＥＤピクセルと、ＯＬＥＤピクセルと同一平面である第１基板上で、ＯＬＥＤピクセルの間に配置されるか、またはＯＬＥＤピクセルと異なる平面である第２基板上に配置される複数のＬＥＤピクセルを備えるディスプレイ装置。【選択図】図１
2015072459.tif 000002
【特許請求の範囲】
【請求項１】
基板と、
前記基板上に配置される複数のＯＬＥＤピクセルと、
前記ＯＬＥＤピクセルと同一平面上に設けられる複数のＬＥＤピクセルであって、前記基板上で前記ＯＬＥＤピクセルの間に配置される複数のＬＥＤピクセルと、
を備えるディスプレイ装置。
【請求項２】
前記ＯＬＥＤピクセルは、所定の原色光を出射し、前記ＬＥＤピクセルは、青色光を出射する請求項１に記載のディスプレイ装置。
【請求項３】
前記ＯＬＥＤピクセルは、互いに離隔して設けられる第１電極及び第２電極と、前記第１電極と第２電極との間に設けられる有機発光層であって所定の原色光を放出する有機発光層と、を備える請求項２に記載のディスプレイ装置。
【請求項４】
前記ＯＬＥＤピクセルは、互いに離隔して設けられる第１電極及び第２電極と、前記第１電極と前記第２電極との間に設けられる白色有機発光層であって、白色光を放出する白色有機発光層と、前記第２電極上に設けられる所定の原色のカラーフィルタと、を備える請求項２に記載のディスプレイ装置。
【請求項５】
前記ＬＥＤピクセルは、白色光を出射する白色バックライトユニットと、前記白色バックライトユニットから入射された白色光を透過させる液晶層、及び前記液晶層を透過した白色光を青色光に変換させる青色カラーフィルタを備える液晶パネルと、を備える請求項２に記載のディスプレイ装置。
【請求項６】
前記白色バックライトユニットは、青色ＬＥＤ光源と、前記青色ＬＥＤ光源から放出された青色光によって励起されてそれぞれ赤色光及び緑色光を放出する赤色量子点及び緑色量子点と、を備える請求項５に記載のディスプレイ装置。
【請求項７】
前記ＬＥＤピクセルは、青色光を放出する青色バックライトユニットと、前記青色バックライトユニットに入射された青色光を透過させる液晶層を備える液晶パネルと、を備える請求項２に記載のディスプレイ装置。
【請求項８】
前記ＯＬＥＤピクセルは、所定の原色光を出射し、前記ＬＥＤピクセルは、白色光を出射する請求項１に記載のディスプレイ装置。
【請求項９】
前記ＬＥＤピクセルは、白色光を出射する白色バックライトユニットと、前記白色バックライトユニットから入射された白色光を透過させる液晶層を備える液晶パネルと、を備える請求項８に記載のディスプレイ装置。
【請求項１０】
前記ＯＬＥＤピクセルは、白色光を出射し、前記ＬＥＤピクセルは、所定の原色光を出射する請求項１に記載のディスプレイ装置。
【請求項１１】
前記ＯＬＥＤピクセルは、互いに離隔して設けられる第１電極及び第２電極と、前記第１電極と前記第２電極との間に設けられることで白色光を放出する白色有機発光層と、を備える請求項１０に記載のディスプレイ装置。
【請求項１２】
前記ＬＥＤピクセルは、白色光を出射する白色バックライトユニットと、前記白色バックライトユニットから入射された白色光を透過させる液晶層、及び前記液晶層を透過した白色光を所定の原色光に変換させるカラーフィルタを備える液晶パネルと、を備える請求項１０に記載のディスプレイ装置。
【請求項１３】
前記ＬＥＤピクセルは、所定の原色光を出射するバックライトユニットと、前記バックライトユニットから入射された所定の原色光を透過させる液晶層を備える液晶パネルと、を備える請求項１０に記載のディスプレイ装置。
【請求項１４】
互いに対向して離隔して設けられる第１基板及び第２基板と、
前記第１基板上に配置される複数のＯＬＥＤピクセルと、
前記第２基板上に配置される複数のＬＥＤピクセルと、を備え、
前記第１基板上には、光が透過する複数のブランクピクセルが設けられており、前記ＬＥＤピクセルは、前記ブランクピクセルに対応して設けられるディスプレイ装置。
【請求項１５】
前記ＬＥＤピクセルから放出される光は、前記ブランクピクセルを通じて出射される請求項１４に記載のディスプレイ装置。
【請求項１６】
前記ブランクピクセルは、前記第１基板に形成された貫通孔を備える請求項１５に記載のディスプレイ装置。
【請求項１７】
前記ＯＬＥＤピクセルは、所定原色の光を出射し、前記ＬＥＤピクセルは、青色光を出射する請求項１５に記載のディスプレイ装置。
【請求項１８】
前記ＯＬＥＤピクセルは、互いに離隔して設けられる第１電極及び第２電極と、前記第１電極と前記第２電極との間に設けられる有機発光層であって所定の原色光を放出する有機発光層と、を含む、請求項１７に記載のディスプレイ装置。
【請求項１９】
前記ＯＬＥＤピクセルは、互いに離隔して設けられる第１電極及び第２電極と、前記第１電極と前記第２電極との間に設けられる白色有機発光層であって、白色光を放出する白色有機発光層と、前記第２電極上に設けられる所定の原色のカラーフィルタと、を備える請求項１７に記載のディスプレイ装置。
【請求項２０】
前記ＬＥＤピクセルは、白色光を出射する白色バックライトユニットと、前記白色バックライトユニットから入射された白色光を透過させる液晶層、及び前記液晶層を透過した白色光を青色光に変換させる青色カラーフィルタを備える液晶パネルと、を備える請求項１７に記載のディスプレイ装置。
【請求項２１】
前記白色バックライトユニットは、青色ＬＥＤ光源と、前記青色ＬＥＤ光源から放出された青色光によって励起され、それぞれ赤色光及び緑色光を放出する赤色量子点及び緑色量子点と、を備える請求項２０に記載のディスプレイ装置。
【請求項２２】
前記ＬＥＤピクセルは、青色光を放出する青色バックライトユニットと、前記青色バックライトユニットに入射された青色光を透過させる液晶層を備える液晶パネルと、を備える請求項１７に記載のディスプレイ装置。
【請求項２３】
前記ＯＬＥＤピクセルは、所定の原色光を出射し、前記ＬＥＤピクセルは、白色光を出射する請求項１５に記載のディスプレイ装置。
【請求項２４】
前記ＬＥＤピクセルは、白色光を出射する白色バックライトユニットと、前記白色バックライトユニットから入射された白色光を透過させる液晶層を備える液晶パネルと、を備える請求項２３に記載のディスプレイ装置。
【請求項２５】
前記ＯＬＥＤピクセルは、白色光を出射し、前記ＬＥＤピクセルは、所定の原色光を出射する請求項１５に記載のディスプレイ装置。
【請求項２６】
前記ＯＬＥＤピクセルは、互いに離隔して設けられる第１電極及び第２電極と、前記第１電極と前記第２電極との間に設けられる白色有機発光層であって、白色光を放出する白色有機発光層と、を備える請求項２５に記載のディスプレイ装置。
【請求項２７】
前記ＬＥＤピクセルは、白色光を出射する白色バックライトユニットと、前記白色バックライトユニットから入射された白色光を透過させる液晶層、及び前記液晶層を透過した白色光を所定の原色光に変換させるカラーフィルタを備える液晶パネルと、を備える請求項２５に記載のディスプレイ装置。
【請求項２８】
前記ＬＥＤピクセルは、所定の原色光を出射するバックライトユニットと、前記バックライトユニットから入射された所定の原色光を透過させる液晶層を備える液晶パネルと、を備える請求項２５に記載のディスプレイ装置。
【請求項２９】
互いに対向して離隔して設けられる第１基板及び第２基板と、
前記第１基板上に配置される複数の赤色及び緑色のＯＬＥＤピクセルであって、赤色光及び緑色光を放出する複数の赤色及び緑色のＯＬＥＤピクセルと、青色光が透過する複数のブランクピクセルと、
前記第１基板と前記第２基板との間に設けられる反射板であって、前記ブランクピクセルに対応する第１貫通孔が形成された反射板と、
前記第２基板上に設けられる青色光放出ユニットであって、青色光を放出する青色光放出ユニットと、を備えるディスプレイ装置。
【請求項３０】
前記ブランクピクセルは、前記第１基板に形成された第２貫通孔を備える請求項２９に記載のディスプレイ装置。
【請求項３１】
前記青色光放出ユニットは、少なくとも一つの青色ＬＥＤ光源を備える青色バックライトユニットと、前記青色バックライトユニットから放出された青色光を透過させる液晶層を備える液晶パネルと、を備える請求項３０に記載のディスプレイ装置。
【請求項３２】
前記液晶層は、前記ブランクピクセルに対応する液晶が駆動されることで、前記青色バックライトユニットから放出された青色光を選択的に透過させる請求項３１に記載のディスプレイ装置。
【請求項３３】
前記赤色及び緑色のＯＬＥＤピクセルそれぞれは、互いに離隔して設けられる第１電極及び第２電極と、前記第１電極と前記第２電極との間に設けられる有機発光層であって、所定色相の光を放出する有機発光層と、を備える請求項２９に記載のディスプレイ装置。
【発明の詳細な説明】
【技術分野】
【０００１】
本発明は、ディスプレイ装置に係り、さらに詳細には、有機発光（ｏｒｇａｎｉｃ  ｌｉｇｈｔ  ｅｍｉｔｔｉｎｇ  ｄｉｏｄｅ、ＯＬＥＤ）表示素子と、発光ダイオード（ｌｉｇｈｔ  ｅｍｉｔｔｉｎｇ  ｄｉｏｄｅ、ＬＥＤ）バックライトユニットを備える液晶表示（ｌｉｑｕｉｄ  ｃｒｙｓｔａｌ  ｄｉｓｐｌａｙ、ＬＣＤ）素子とが複合されたディスプレイ装置に関する。
【背景技術】
【０００２】
ＯＬＥＤ表示素子は、蛍光性または燐光性有機化合物からなる有機発光層に電流を流せば、電子と正孔とが有機発光層内で結合しつつ光が発生する現象を用いた能動発光型ディスプレイ素子である。このようなＯＬＥＤ表示素子は、高精密発光が可能であり、高画質の動画を具現でき、視野角が広くて低消費電力でも駆動できるという長所がある。また、ＯＬＥＤ表示素子は、厚さを薄くすることができ、柔軟なディスプレイを容易に具現できる。
【０００３】
ＬＣＤ素子は、バックライトユニットから光が液晶層に入射されて画像を形成する受動発光型ディスプレイ素子である。最近は、ＬＣＤ素子のバックライトユニットとして、ＬＥＤを光源として使うバックライトユニットが開発されている。このようなＬＥＤバックライトユニットを採用したＬＣＤ素子は、色再現性が高いという長所がある。
【発明の概要】
【発明が解決しようとする課題】
【０００４】
本発明が解決しようとする課題は、ＯＬＥＤ表示素子と、ＬＥＤバックライトユニットを備えるＬＣＤ素子とが複合されたディスプレイ装置を提供する。
【課題を解決するための手段】
【０００５】
一の態様において、基板と、前記基板上に配置される複数のＯＬＥＤピクセルと、前記ＯＬＥＤピクセルと同一平面上に設けられる複数のＬＥＤピクセルであって、前記基板上で前記ＯＬＥＤピクセルの間に配置される複数のＬＥＤピクセルと、を備えるディスプレイ装置が提供される。前記ＯＬＥＤピクセルは、所定の原色光を出射し、前記ＬＥＤピクセルは、青色光を出射する。
【０００６】
前記ＯＬＥＤピクセルは、互いに離隔して設けられる第１電極及び第２電極と、前記第１電極と前記第２電極との間に設けられる有機発光層であって、所定の原色光を放出する有機発光層と、を備える。また、前記ＯＬＥＤピクセルは、互いに離隔して設けられる第１電極及び第２電極と、前記第１電極と前記第２電極との間に設けられる白色有機発光層であって、白色光を放出する白色有機発光層と、前記第２電極上に設けられる所定の原色のカラーフィルタと、を備える。
【０００７】
前記ＬＥＤピクセルは、白色光を出射する白色バックライトユニットと、前記白色バックライトユニットから入射された白色光を透過させる液晶層、及び前記液晶層を透過した白色光を青色光に変換させる青色カラーフィルタを備える液晶パネルと、を備える。ここで、前記白色バックライトユニットは、青色ＬＥＤ光源と、前記青色ＬＥＤ光源から放出された青色光によって励起されてそれぞれ赤色光及び緑色光を放出する赤色量子点及び緑色量子点（ＱＤｓ；Ｑｕａｎｔｕｍ  Ｄｏｔｓ）と、を備える。また、前記ＬＥＤピクセルは、青色光を放出する青色バックライトユニットと、前記青色バックライトユニットに入射された青色光を透過させる液晶層を備える液晶パネルと、を備える。
【０００８】
前記ＯＬＥＤピクセルは、所定の原色光を出射し、前記ＬＥＤピクセルは、白色光を出射する。前記ＬＥＤピクセルは、白色光を出射する白色バックライトユニットと、前記白色バックライトユニットから入射された白色光を透過させる液晶層を備える液晶パネルと、を備える。
【０００９】
前記ＯＬＥＤピクセルは、白色光を出射し、前記ＬＥＤピクセルは、所定の原色光を出射する。前記ＯＬＥＤピクセルは、互いに離隔して設けられる第１電極及び第２電極と、前記第１電極と前記第２電極との間に設けられることで白色光を放出する白色有機発光層と、を備える。前記ＬＥＤピクセルは、白色光を出射する白色バックライトユニットと、前記白色バックライトユニットから入射された白色光を透過させる液晶層、及び前記液晶層を透過した白色光を所定の原色光に変換させるカラーフィルタを備える液晶パネルと、を備える。また、前記ＬＥＤピクセルは、所定の原色光を出射するバックライトユニットと、前記バックライトユニットから入射された所定の原色光を透過させる液晶層を備える液晶パネルと、を備える。
【００１０】
他の態様において、互いに対向して離隔して設けられる第１基板及び第２基板と、前記第１基板上に配置される複数のＯＬＥＤピクセルと、前記第２基板上に配置される複数のＬＥＤピクセルと、を備え、前記第１基板上には、光が透過する複数のブランクピクセルが設けられており、前記ＬＥＤピクセルは、前記ブランクピクセルに対応して設けられるディスプレイ装置が提供される。
【００１１】
前記ＬＥＤピクセルから放出される光は、前記ブランクピクセルを通じて出射される。前記ブランクピクセルは、前記第１基板に形成された貫通孔を備える。
【００１２】
他の態様において、互いに対向して離隔して設けられる第１基板及び第２基板と、前記第１基板上に配置される複数の赤色及び緑色のＯＬＥＤピクセルであって、赤色光及び緑色光を放出する複数の赤色及び緑色のＯＬＥＤピクセルと、青色光が透過する複数のブランクピクセルと、前記第１基板と前記第２基板との間に設けられる反射板であって、前記ブランクピクセルに対応する第１貫通孔が形成された反射板と、前記第２基板上に設けられる青色光放出ユニットであり、青色光を放出する青色光放出ユニットと、を備えるディスプレイ装置が提供される。
【００１３】
前記青色光放出ユニットは、少なくとも一つの青色ＬＥＤ光源を備える青色バックライトユニットと、前記青色バックライトユニットから放出された青色光を透過させる液晶層を備える液晶パネルと、を備える。
【図面の簡単な説明】
【００１４】
【図１】例示的な実施形態によるディスプレイ装置を概略的に示す平面図である。
【図２】図１のＩ−Ｉ’線の断面図である。
【図３】図２に示されたＯＬＥＤピクセルの断面図である。
【図４】図２に示されたＯＬＥＤピクセルの変形例を示す断面図である。
【図５】図２に示されたＬＥＤピクセルの断面図である。
【図６】図２に示されたＬＥＤピクセルの変形例を示す断面図である。
【図７】他の例示的な実施形態によるディスプレイ装置を示す断面図である。
【図８】図７に示されたＬＥＤピクセルの断面図である。
【図９】他の例示的な実施形態によるディスプレイ装置を示す断面図である。
【図１０】図９に示されたＯＬＥＤピクセルの断面図である。
【図１１】図９に示されたＬＥＤピクセルの断面図である。
【図１２】図９に示されたＬＥＤピクセルの変形例を示す断面図である。
【図１３】例示的な実施形態によるディスプレイ装置を概略的に示す平面図である。
【図１４】図１３のＩＩ−ＩＩ’線の断面図である。
【図１５】図１４に示されたＯＬＥＤピクセルの断面図である。
【図１６】図１４に示されたＯＬＥＤピクセルの変形例を示す断面図である。
【図１７】図１４に示されたＬＥＤピクセルの断面図である。
【図１８】図１４に示されたＬＥＤピクセルの変形例を示す断面図である。
【図１９】他の例示的な実施形態によるディスプレイ装置を示す断面図である。
【図２０】図１９に示されたＬＥＤピクセルの断面図である。
【図２１】他の例示的な実施形態によるディスプレイ装置を示す断面図である。
【図２２】図２１に示されたＯＬＥＤピクセルの断面図である。
【図２３】図２１に示されたＬＥＤピクセルの断面図である。
【図２４】図２１に示されたＬＥＤピクセルの変形例を示す断面図である。
【図２５】他の例示的な実施形態によるディスプレイ装置を示す分離斜視図である。
【図２６】図２５のＩＩＩ−ＩＩＩ’線の断面図である。
【図２７Ａ】図２５に示された赤色ＯＬＥＤピクセルの断面図である。
【図２７Ｂ】図２５に示された緑色ＯＬＥＤピクセルの断面図である。
【図２８】図２５に示された青色光放出ユニットの断面図である。
【発明を実施するための最良の形態】
【００１５】
以下、添付した図面を参照して実施形態を詳細に説明する。以下で例示される実施形態は本発明の範囲を限定するものではなく、本発明を当業者に説明するために提供されるものである。図面において、同一の参照符号は同一の構成要素を称し、各構成要素のサイズや厚さは説明の明瞭性のために誇張されている。また、所定の物質層が基板や他の層上に存在すると説明される時、その物質層は、基板や他の層に当接して存在しても、その間に他の第３の層が存在してもよい。そして、以下の実施形態で各層をなす物質は例示的なものであり、他の物質が使われてもよい。
【００１６】
図１は、例示的な実施形態によるディスプレイ装置１００を概略的に示す平面図である。そして、図２は、図１のＩ−Ｉ’線の断面図である。
【００１７】
図１及び図２を参照すれば、ディスプレイ装置１００は、基板１１０と、前記基板１１０上に設けられるＯＬＥＤ表示素子及びＬＣＤ素子とを備える。前記ＯＬＥＤ表示素子は、基板１１０上に配置される複数のＯＬＥＤピクセル１２０を備え、前記ＬＣＤ素子は、基板１００上でＯＬＥＤピクセル１２０の間に配置される複数のＬＥＤピクセル１３０を備える。ここで、前記ＬＥＤピクセル１３０は、ＬＥＤを光源として使うバックライトユニットを備える。前記基板１１０としては、多様な材質の基板が使われる。例えば、前記基板１１０として、プラスチック基板のような柔軟な材質の基板が使われてもよく、またガラス基板のような硬い材質の基板が使われてもよい。前記ＯＬＥＤピクセル１２０及び前記ＬＥＤピクセル１３０が基板１１０の同一平面上に配置される。前記ＯＬＥＤピクセル１２０それぞれは所定の原色光（すなわち、赤色光、緑色光または青色光）を出射する。例えば、いずれか一つのＯＬＥＤピクセル１２０が赤色光を出射する赤色ピクセルである場合、この赤色ピクセルの周りに配置するＯＬＥＤピクセル１２０は、緑色光を出射する緑色ピクセル及び青色光を出射する青色ピクセルになる。そして、前記ＬＥＤピクセル１３０は青色光を出射する。
【００１８】
図３は、図２に示されたＯＬＥＤピクセル１２０の断面図である。図３を参照すれば、ＯＬＥＤピクセル１２０は、互いに離隔して配置される第１電極１２１及び第２電極１２２と、前記第１電極１２１と前記第２電極１２２との間に設けられる有機発光層１２３とを備える。前記第１電極１２１及び前記第２電極１２２は、アノード電極及びカソード電極になる。この場合、前記第１電極１２１は、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＳｎＯ２またはＺｎＯなどの透明な導電性物質を含むが、これらに限定されるものではない。そして、前記第２電極１２２は、例えば、Ａｌ、Ａｇ、Ｍｇ、ＬｉまたはＣａなどの金属やこれらの合金を含むが、これらに限定されるものではない。一方、前記第１電極１２１及び前記第２電極１２２がカソード電極及びアノード電極になってもよい。前記第１電極１２１及び前記第２電極１２２のうちいずれか一つの電極は共通電極になり、他の一つの電極は画素電極になる。この場合、前記画素電極は、ＯＬＥＤピクセル１２０を選択的に駆動できる薄膜トランジスタ（図示せず）と連結される。
【００１９】
前記第１電極１２１と前記第２電極１２２との間には、所定の原色光を発生させる有機発光層１２３が設けられている。前記有機発光層１２３は、例えば、赤色発光層、緑発光層または青色発光層になる。薄膜トランジスタの駆動によって第１電極１２１と第２電極１２２との間に電流が流れれば、アノード電極である第１電極１２１から有機発光層で正孔が流れ込み、カソード電極である第２電極１２２から有機発光層に電子が流れ込むことで、前記有機発光層１２３内で正孔と電子とが結合して所定色相の光（例えば、赤色光、緑色光または青色光）が放出される。このように放出される所定色相の光は、第２電極１２２を通じて外部に出射される。前記基板１１０上には、有機発光層１２３から放出された所定色相の光を第２電極１２２側に反射させるための反射板（図示せず）が設けられてもよい。そして、図示されていないが、アノード電極である第１電極１２１と有機発光層１２３との間には、正孔注入層及び／または正孔輸送層がさら設けられ、カソード電極である第２電極１２２と有機発光層１２３との間には、電子注入層及び／または電子輸送層がさらに設けられる。
【００２０】
図４には、図２に示されたＯＬＥＤピクセル１２０の変形例が示されている。図４を参照すれば、ＯＬＥＤピクセル１２０’は互いに離隔して配置される第１電極１２１’及び第２電極１２２’と、前記第１電極１２１’と前記第２電極１２２’との間に設けられる白色有機発光層１２３’と、前記第２電極１２２’上に設けられるカラーフィルタ１２４’とを備える。前記白色有機発光層１２３’は、第１電極１２１’と第２電極１２２’との間に電流が印加されることで白色光を放出するものであり、複数の発光層（例えば、赤色、緑色及び青色の発光層）が積層された構造を持つ。そして、前記カラーフィルタ１２４’は、白色有機発光層１２３’から入射された白色光のうち所定色相の光（例えば、赤色光、緑色光または青色光）のみを透過させて外部に出射する。
【００２１】
図５は、図２に示されたＬＥＤピクセル１３０の断面図である。図４を参照すれば、ＬＥＤピクセル１３０は、白色光を出射する白色バックライトユニット１３１と、前記白色バックライトユニット１３１から入射された白色光を用いて選択的に青色光を放出する液晶パネル１３２と、を備える。前記白色バックライトユニット１３１は、ＬＥＤ光源を備える。具体的に、前記白色バックライトユニット１３１は、青色光を放出する青色ＬＥＤ光源と、前記青色ＬＥＤ光源から放出された青色光によって励起されて、それぞれ赤色光及び緑色光を放出する赤色量子点及び緑色量子点とを備える。このように、白色バックライトユニット１３１が、青色ＬＥＤ光源と、赤色量子点及び緑色量子点とを備える場合には、赤色に対する感度を高めることで色再現性を向上させる。一方、前記白色バックライトユニット１３１は、赤色、緑色及び青色のＬＥＤ光源を備えるか、またはＵＶ  ＬＥＤ光源と赤色、緑色及び青色の蛍光体とを備える。また、前記白色バックライトユニット１３１は、青色ＬＥＤ光源及び黄色蛍光体を備えてもよい。
【００２２】
前記白色バックライトユニット１３１から出射される白色光は、液晶パネル１３２側に入射される。前記液晶パネル１３２は、第１偏光板１３３、液晶層１３４、第２偏光板１３５及び青色カラーフィルタ１３６を備える。ここで、前記液晶層１３４は、光シャッターの役割を行うものであり、前記第１偏光板１３３を透過した白色光を選択的に透過させる役割を行う。前記液晶層１３４の駆動のために液晶層１３４の上下面には電極（図示せず）が設けられており、前記電極のうちいずれか一つは薄膜トランジスタと連結されている。そして、前記青色カラーフィルタ１３６は、液晶層１３４を通過した白色光のうち青色光のみを透過させて外部に出射させる。これによって、前記ＬＥＤピクセル１３０から青色光が出射される。
【００２３】
図６には、図２に示されたＬＥＤピクセル１３０の変形例が示されている。図６を参照すれば、ＬＥＤピクセル１３０’は、青色光を出射する青色バックライトユニット１３１’と、前記青色バックライトユニット１３１’から入射された青色光を選択的に透過させる液晶パネル１３２’と、を備える。前記青色バックライトユニット１３１’は、青色ＬＥＤ光源を備える。前記青色バックライトユニット１３１’から出射される青色光は、液晶パネル１３２’側に入射される。前記液晶パネル１３２’は、第１偏光板１３３’、液晶層１３４’及び第２偏光板１３５’を備える。ここで、前記液晶層１３４’は、光シャッターの役割を行うものであり、第１偏光板１３３’を透過した青色光を選択的に透過させる役割を行う。これによって、前記ＬＥＤピクセル１３０’から青色光が出射される。
【００２４】
以上のように、本実施形態によるディスプレイ装置１００では、同じ基板１１０上に複数のＯＬＥＤピクセル１２０、１２０’と、複数のＬＥＤピクセル１３０、１３０’とが配列されている。ここで、前記ＯＬＥＤピクセル１２０、１２０’は、赤色光Ｒ、緑色光Ｇ及び青色光Ｂを出射し、前記ＬＥＤピクセル１３０、１３０’は、青色光Ｂを出射する。一般的に、ＯＬＥＤ表示素子は、高精密発光可能で柔軟なディスプレイを具現できるという長所はあるが、青色に対する色再現性が少し劣り、青色ピクセルの寿命の短くなるという短所がある。本実施形態は、青色光を出射するＬＥＤピクセル１３０を用いてＯＬＥＤ表示素子の青色ピクセルに対する問題点を補う。すなわち、本実施形態によるディスプレイ装置では、基板１１０上に赤色光Ｒ、緑色光Ｇ及び青色光Ｂを出射する複数のＯＬＥＤピクセル１２０を配置し、このＯＬＥＤピクセル１２０の間に青色光Ｂを出射する複数のＬＥＤピクセル１３０を配置する。ここで、前記ＯＬＥＤピクセル１２０は、イメージを形成する役割を行い、前記ＬＥＤピクセル１３０は、青色光を出射するＯＬＥＤピクセル１２０を補うか、または取り替える役割を行う。これによって、イメージの青色に対する色再現性を向上させられるので、実際イメージに最大限近いイメージが具現される。また、ディスプレイ装置１００の寿命も延びる。さらに、ＬＥＤピクセル１３０の白色バックライトユニット１３１を青色ＬＥＤ光源と赤色量子点及び緑色量子点とで構成する場合には、色再現性をさらに向上させる。一方、図１には、ＬＥＤピクセル１３０がＯＬＥＤピクセル１２０の間に規則的な形態に配列される場合が示されているが、前記ＬＥＤピクセル１３０は、ランダムな形態に配列されてもよい。
【００２５】
図７は、他の例示的な実施形態によるディスプレイ装置２００を示す断面図である。図７に示されたディスプレイ装置２００の平面図は、図１と同一である。以下では、前述した実施形態と異なる点を中心として説明する。
【００２６】
図７を参照すれば、ディスプレイ装置２００は、基板２１０上に設けられる複数のＯＬＥＤピクセル２２０及び複数のＬＥＤピクセル２３０を備える。このようなＯＬＥＤピクセル２２０及びＬＥＤピクセル２３０は、基板２１０の同一平面上に配置される。前記ＯＬＥＤピクセル２２０は、赤色光Ｒ、緑色光Ｇ及び青色光Ｂを出射する。前記ＯＬＥＤピクセル２２０は、前述した図３に示されたＯＬＥＤピクセル１２０や図４に示されたＯＬＥＤピクセル１２０’と同一であるので、これに関する説明は略する。本実施形態で、前記ＬＥＤピクセル２３０は、白色光Ｗを出射する。
【００２７】
図８は、図７に示されたＬＥＤピクセル２３０の断面図である。図８を参照すれば、ＬＥＤピクセル２３０は、白色光を出射する白色バックライトユニット２３１と、前記白色バックライトユニット２３１から入射された白色光を選択的に透過させる液晶パネル２３２と、を備える。前記白色バックライトユニット２３１は、ＬＥＤ光源を備える。具体的に、前記白色バックライトユニット２３１は、青色光を放出する青色ＬＥＤ光源と、前記青色ＬＥＤ光源から放出された青色光によって励起されてそれぞれ赤色光及び緑色光を放出する赤色量子点及び緑色量子点と、を備える。このように、白色バックライトユニット２３１が青色ＬＥＤ光源と、赤色量子点及び緑色量子点とを備える場合には、赤色に対する感度を向上させて色再現性を向上させる。一方、前記白色バックライトユニット２３１は、赤色、緑色及び青色のＬＥＤ光源を備えるか、または前記白色バックライトユニット２３１は、ＵＶ  ＬＥＤ光源と赤色、緑色及び青色の蛍光体とを備える。また、前記白色バックライトユニット２３１は、青色ＬＥＤ光源と黄色蛍光体とを備えることもできる。
【００２８】
前記白色バックライトユニット２３１から出射される白色光は、液晶パネル２３２側に入射される。前記液晶パネル２３２は、第１偏光板２３３、液晶層２３４及び第２偏光板２３５を備える。ここで、前記液晶層２３４は、光シャッターの役割を行うものであり、入射される白色光を選択的に透過させる役割を行う。前記液晶層２３４の駆動のために液晶層２３４の上下面には電極（図示せず）が設けられており、前記電極のうちいずれか一つは薄膜トランジスタと連結されている。これによって、前記ＬＥＤピクセル２３０から白色光Ｗが出射される。
【００２９】
ＯＬＥＤ表示素子は、輝度において限界があり、これにより電力消耗及び寿命短縮が問題になる。本実施形態では、白色光を出射するＬＥＤピクセル２３０を用いてＯＬＥＤ表示素子の輝度及び寿命問題を補う。すなわち、本実施形態によるディスプレイ装置では、基板２１０上に赤色光Ｒ、緑色光Ｇ及び青色光Ｂを出射する複数のＯＬＥＤピクセル２２０を配置し、このＯＬＥＤピクセル２２０の間に白色光Ｗを出射する複数のＬＥＤピクセル２３０を配置する。ここで、前記ＯＬＥＤピクセル２２０は、イメージを形成する役割を行い、前記ＬＥＤピクセル２３０は、イメージを明るくする役割を行う。これによって、ディスプレイ装置２００の輝度を向上させられ、その寿命も延びる。さらに、前記ＬＥＤピクセル２３０の白色バックライトユニット２３１を青色ＬＥＤ光源と、赤色量子点及び緑色量子点で構成する場合には、白色に対する色再現性をさらに向上させる。一方、前記ＬＥＤピクセル２３０は、ＯＬＥＤピクセル２２０の間に規則的な形態に配列されるか、またはランダムな形態に配列される。
【００３０】
図９は、他の例示的な実施形態によるディスプレイ装置３００を示す断面図である。図９に示されたディスプレイ装置３００の平面図は、図１と同一である。以下では、前述した実施形態と異なる点を中心として説明する。
【００３１】
図９を参照すれば、ディスプレイ装置３００は、基板３１０上に設けられる複数のＯＬＥＤピクセル３２０及び複数のＬＥＤピクセル３３０を備える。このようなＯＬＥＤピクセル３２０及びＬＥＤピクセル３３０は、基板３１０の同一平面上に配置される。本実施形態で、前記ＯＬＥＤピクセル３２０は、白色光Ｗを出射し、前記ＬＥＤピクセル３３０は、赤色光Ｒ、緑色光Ｇ及び青色光Ｂを出射する。前記ＬＥＤピクセル３３０それぞれは、所定の原色光（すなわち、赤色光、緑色光または青色光）を出射する。例えば、いずれか一つのＬＥＤピクセル３３０が、赤色光を出射する赤色ピクセルである場合、この赤色ピクセルの周りにあるＬＥＤピクセル３３０は、緑色光を出射する緑色ピクセル及び青色光を出射する青色ピクセルになる。
【００３２】
図１０は、図９に示されたＯＬＥＤピクセル３２０の断面図である。図１０を参照すれば、ＯＬＥＤピクセル３２０は、互いに離隔して配置される第１電極３２１及び第２電極３２２と、前記第１電極３２１と前記第２電極３２２との間に設けられる白色有機発光層３２３と、を備える。前記第１電極３２１及び前記第２電極３２２は、アノード電極及びカソード電極になる。一方、前記第１電極３２１及び前記第２電極３２２がカソード電極及びアノード電極になってもよい。前記第１電極３２１及び第２電極３２２のうちいずれか一つの電極は共通電極になり、他の一つの電極は画素電極になる。この場合、前記画素電極は、ＯＬＥＤピクセル３２０を選択的に駆動できる薄膜トランジスタ（図示せず）と連結される。
【００３３】
前記第１電極３２１と前記第２電極３２２との間には、白色光を発生させる白色有機発光層３２３が設けられている。白色有機発光層３２３は、第１電極３２１と第２電極３２２との間に電流が印加されることで白色光を放出するものであり、複数の発光層（例えば、赤色、緑色及び青色の発光層）が積層された構造を持つ。一方、前記基板３１０上には、白色有機発光層３２３から放出された白色光を第２電極３２２側に反射させるための反射板（図示せず）が設けられてもよい。そして、図面には示されていないが、アノード電極である第１電極３２１と白色有機発光層３２３との間には正孔注入層及び／または正孔輸送層がさらに設けられ、カソード電極である第２電極３２２と白色有機発光層３２３との間には電子注入層及び／または電子輸送層がさらに設けられる。
【００３４】
図１１は、図９に示されたＬＥＤピクセル３３０の断面図である。図１１を参照すれば、ＬＥＤピクセル３３０は、白色光を出射する白色バックライトユニット３３１と、前記白色バックライトユニット３３１から入射された白色光を用いて所定の原色光（赤色光、緑色光または青色光）を選択的に放出する液晶パネル３３２と、を備える。前記白色バックライトユニット３３１は、ＬＥＤ光源を備える。具体的に、前記白色バックライトユニット３３１は、青色光を放出する青色ＬＥＤ光源と、前記青色ＬＥＤ光源から放出された青色光によって励起されてそれぞれ赤色光及び緑色光を放出する赤色量子点及び緑色量子点と、を備える。このように、白色バックライトユニット３３１が青色ＬＥＤ光源と、赤色量子点及び緑色量子点とを備える場合には、赤色に対する感度を高めることで色再現性を向上させる。一方、前記白色バックライトユニット３３１は、赤色、緑色及び青色のＬＥＤ光源を備えるか、またはＵＶ  ＬＥＤ光源と赤色、緑色及び青色の蛍光体とを備える。また、前記白色バックライトユニット３３１は、青色ＬＥＤ光源及び黄色蛍光体を備えてもよい。
【００３５】
前記白色バックライトユニット３３１から出射される白色光は、液晶パネル３３２側に入射される。前記液晶パネル３３２は、第１偏光板３３３、液晶層３３４、第２偏光板３３５、及びカラーフィルタ３３６を備える。ここで、前記液晶層３３４は、光シャッターの役割を行うものであり、前記第１偏光板３３３を透過した白色光を選択的に透過させる役割を行う。前記液晶層３３４の駆動のために、液晶層３３４の上下面には電極（図示せず）が設けられており、前記電極のうちいずれか一つは薄膜トランジスタと連結されている。そして、前記カラーフィルタ３３６は、液晶層３３４を通過した白色光のうち所定の原色光のみを透過させて外部に出射させる。例えば、前記カラーフィルタ３３６が赤色カラーフィルタである場合には、液晶層３３４を通過した白色光のうち赤色光のみがカラーフィルタ３３６を透過して外部に放出される。そして、前記カラーフィルタ３３６が緑色カラーフィルタである場合には、液晶層３３４を通過した白色光のうち緑色光のみが、カラーフィルタ３３６を透過して外部に放出され、前記カラーフィルタ３３６が青色カラーフィルタである場合には、液晶層３３４を通過した白色光のうち青色光のみが、カラーフィルタ３３６を透過して外部に放出される。
【００３６】
図１２には、図９に示されたＬＥＤピクセル３３０の変形例が示されている。図１２を参照すれば、ＬＥＤピクセル３３０’は、所定の原色光（赤色光、緑色光または青色光）を出射するバックライトユニット３３１’と、前記バックライトユニット３３１’から入射された所定の原色光を選択的に透過させる液晶パネル３３２’と、を備える。前記バックライトユニット３３１’は、ＬＥＤ光源を備える。具体的に、前記バックライトユニット３３１’は、赤色ＬＥＤ光源、緑色ＬＥＤ光源または青色ＬＥＤ光源を備える。前記バックライトユニット３３１’から出射される所定色相の光は、液晶パネル３３２’側に入射される。前記液晶パネル３３２’は、第１偏光板３３３’、液晶層３３４’、及び第２偏光板３３５’を備える。ここで、前記液晶層３３４’は、光シャッターの役割を行うものであり、第１偏光板３３３’を透過した所定色相の光を選択的に透過させる役割を行う。前記液晶層３３４’の駆動のために、液晶層３３４’の上下面には電極（図示せず）が設けられており、前記電極のうちいずれか一つは、薄膜トランジスタと連結されている。
【００３７】
本実施形態によるディスプレイ装置３００では、基板３１０上に白色光Ｗを放出する複数のＯＬＥＤピクセル３２０を配置し、このＯＬＥＤピクセル３２０の間に赤色光Ｒ、緑色光Ｇ及び青色光Ｂを出射する複数のＬＥＤピクセル３３０、３３０’を配置する。ここで、前記ＬＥＤピクセル３３０、３３０’は、イメージを形成する役割を行い、前記ＯＬＥＤピクセル３２０は、イメージを明るくする役割を行う。これによって、ディスプレイ装置３００の輝度を向上させる。さらに、前記ＬＥＤピクセル３３０の白色バックライトユニット３３１を青色ＬＥＤ光源と、赤色量子点及び緑色量子点とで構成する場合には、白色に対する色再現性をさらに向上させる。一方、前記ＯＬＥＤピクセル３２０は、ＬＥＤピクセル３３０及び３３０’の間に規則的な形態に配列されるか、またはランダムな形態に配列される。
【００３８】
図１３は、他の例示的な実施形態によるディスプレイ装置４００を概略的に示す平面図である。そして、図１４は、図１のＩＩ−ＩＩ’線の断面図である。
【００３９】
図１３及び図１４を参照すれば、ディスプレイ装置４００は、垂直に積層されたＯＬＥＤ表示素子及びＬＣＤ素子を備える。第１基板４２０及び第２基板４６０が互いに対向して離隔して設けられている。ここで、前記第１基板４２０は、第２基板４６０よりディスプレイ装置４００の前面側に配置される。前記ＯＬＥＤ表示素子は、第１基板４２０上に設けられており、前記ＬＣＤ素子は、第２基板４６０上に設けられている。前記第１基板４２０及び前記第２基板４６０としては、多様な材質の基板が使われる。例えば、前記第１基板４２０及び前記第２基板４６０として、プラスチック基板のような柔軟な材質の基板が使われてもよく、またガラス基板のような硬い材質の基板が使われてもよい。
【００４０】
前記ＯＬＥＤ表示素子は、第１基板４２０上に配置される複数のＯＬＥＤピクセル４３０及び複数のブランクピクセル４４０を備える。そして、前記ＬＣＤ素子は、第２基板４６０上に配置される複数のＬＥＤピクセル４７０を備え、前記ＬＥＤピクセル４７０は、ＬＥＤを光源として使うバックライトユニットを備える。ここで、前記ＬＥＤピクセル４７０は、前記ブランクピクセル４４０に対応して設けられる。
【００４１】
前記ＯＬＥＤピクセル４３０は、第１基板４２０上に所定形態に配列されており、前記ブランクピクセル４４０は、ＯＬＥＤピクセル４３０の間に所定形態に配列されている。前記ＯＬＥＤピクセル４３０それぞれは、所定の原色光（すなわち、赤色光、緑色光または青色光）を出射する。例えば、いずれか一つのＯＬＥＤピクセル４３０が赤色光を出射する赤色ピクセルである場合、この赤色ピクセルの周りにあるＯＬＥＤピクセル４３０は、緑色光を出射する緑色ピクセル及び青色光を出射する青色ピクセルになる。前記ブランクピクセル４４０は、後述するＬＥＤピクセル４７０から出射される青色光を透過させるピクセルを意味する。よって、前記ＬＥＤピクセル４７０から放出される青色光は、ブランクピクセル４４０を透過して外部に出射される。ここで、前記ブランクピクセル４４０は、例えば、第１基板４２０上に貫通孔４２０ａを形成することで設けられる。このようなブランクピクセル４４０は、ＯＬＥＤピクセル４３０の間に規則的な形態に配列されるか、またはランダムな形態に配列される。
【００４２】
前記ＬＥＤピクセル４７０は、第２基板４６０上に所定形態に配列されている。ここで、前記ＬＥＤピクセル４７０は、前述したブランクピクセル４４０に対応する位置に設けられる。これによって、前記ＬＥＤピクセル４７０は、ブランクピクセル４４０と同じ形態に配列される。前記ＬＥＤピクセル４７０は、青色光を出射する。
【００４３】
図１５は、図１４に示されたＯＬＥＤピクセル４３０の断面図である。図１５を参照すれば、ＯＬＥＤピクセル４３０は、互いに離隔して配置される第１電極４３１及び第２電極４３２と、前記第１電極４３１と前記第２電極４３２との間に設けられる有機発光層４３３と、を備える。前記第１電極４３１及び第２電極４３２は、アノード電極及びカソード電極になる。この場合、前記第１電極４３１は、例えば、ＩＴＯ、ＩＺＯ、ＳｎＯ２またはＺｎＯなどのような透明な導電性物質を含むが、これらに限定されるものではない。そして、前記第２電極４３２は、例えば、Ａｌ、Ａｇ、Ｍｇ、ＬｉまたはＣａなどのような金属や、これらの合金を含むが、これらに限定されるものではない。一方、前記第１電極４３１及び前記第２電極４３２がカソード電極及びアノード電極になってもよい。前記第１電極４３１及び第２電極４３２のうちいずれか一つの電極は共通電極になり、他の一つの電極は画素電極になる。この場合、前記画素電極は、ＯＬＥＤピクセル４３０を駆動できる薄膜トランジスタと連結される。
【００４４】
前記第１電極４３１及び前記第２電極４３２との間には、所定の原色光を発生させる有機発光層４３３が設けられている。前記有機発光層４３３は、例えば、赤色発光層、緑発光層または青色発光層になる。薄膜トランジスタの駆動によって第１電極４３１と第２電極４３２との間に電流が流れれば、アノード電極である第１電極４３１から有機発光層に正孔が流れ込み、カソード電極である第２電極４３２から有機発光層に電子が流れ込むことで、前記有機発光層４３３内で正孔と電子とが結合して所定色相の光（例えば、赤色光、緑色光または青色光）が放出される。このように放出される所定色相の光は、第２電極４３２を通じて外部に出射される。前記基板４２０上には、有機発光層４３３から放出された所定色相の光を第２電極４３２側に反射させるための反射板（図示せず）が設けられてもよい。そして、図面には示されていないが、アノード電極である第１電極４３１と有機発光層４３３との間には正孔注入層及び／または正孔輸送層がさらに設けられ、カソード電極である第２電極４３２と有機発光層４３３との間には電子注入層及び／または電子輸送層がさらに設けられる。
【００４５】
図１６には、図１４に示されたＯＬＥＤピクセル４３０の変形例が示されている。図１６を参照すれば、ＯＬＥＤピクセル４３０’は、互いに離隔して配置される第１電極４３１’及び第２電極４３２’と、前記第１電極４３１’と前記第２電極４３２’との間に設けられる白色有機発光層４３３’と、前記第２電極４３２’上に設けられるカラーフィルタ４３４’と、を備える。前記白色有機発光層４３３’は、第１電極４３１’と第２電極４３２’との間に電流が印加されることで白色光を放出するものであり、複数の発光層（例えば、赤色、緑色及び青色の発光層）が積層された構造を持つ。そして、前記カラーフィルタ４３４’は、白色有機発光層４３３’から入射された白色光のうち所定色相の光（例えば、赤色光、緑色光または青色光）のみを透過させて外部に出射する。
【００４６】
図１７は、図１４に示されたＬＥＤピクセル４７０の断面図である。図１７を参照すれば、ＬＥＤピクセル４７０は、白色光を出射する白色バックライトユニット４７１と、前記白色バックライトユニット４７１から入射された白色光を用いて選択的に青色光を放出する液晶パネル４７２と、を備える。前記白色バックライトユニット４７１はＬＥＤ光源を備える。具体的に、前記白色バックライトユニット４７１は、青色光を放出する青色ＬＥＤ光源と、前記青色ＬＥＤ光源から放出された青色光によって励起されて、それぞれ赤色光及び緑色光を放出する赤色量子点及び緑色量子点と、を備える。このように、白色バックライトユニット４７１が青色ＬＥＤ光源と、赤色量子点及び緑色量子点とを備える場合には、赤色に対する感度を高めることで色再現性を向上させる。一方、前記白色バックライトユニット４７１は、赤色、緑色及び青色のＬＥＤ光源を備えるか、またはＵＶ  ＬＥＤ光源と赤色、緑色及び青色の蛍光体とを備える。また、前記白色バックライトユニット４７１は、青色ＬＥＤ光源及び黄色蛍光体を備えてもよい。
【００４７】
前記白色バックライトユニット４７１から出射される白色光は、液晶パネル４７２側に入射される。前記液晶パネル４７２は、第１偏光板４７３、液晶層４７４、第２偏光板４７５、及び青色カラーフィルタ４７６を備える。ここで、前記液晶層４７４は、光シャッターの役割を行うものであり、第１偏光板４７３を透過した白色光を選択的に透過させる役割を行う。前記液晶層４７４の駆動のために液晶層４７４の上下面には電極（図示せず）が設けられており、前記電極のうちいずれか一つは薄膜トランジスタと連結されている。そして、前記青色カラーフィルタ４７６は、液晶層４７４を通過した白色光のうち青色光のみを透過させて外部に出射させる。これによって、前記ＬＥＤピクセル４７０から青色光が出射される。
【００４８】
図１８には、図１４に示されたＬＥＤピクセル４７０の変形例が示されている。図１８を参照すれば、ＬＥＤピクセル４７０’は、青色光を出射する青色バックライトユニット４７１’と、前記青色バックライトユニット４７１’から入射された青色光を選択的に透過させる液晶パネル４７２’と、を備える。前記青色バックライトユニット４７１’は、青色ＬＥＤ光源を備える。前記青色バックライトユニット４７１’から出射される青色光は、液晶パネル４７２’側に入射される。前記液晶パネル４７２’は、第１偏光板４７３’、液晶層４７４’及び第２偏光板４７５’を備える。ここで、前記液晶層４７４’は、光シャッターの役割を行うものであり、前記第１偏光板４７３’を透過した青色光を選択的に透過させる役割を行う。これによって、前記ＬＥＤピクセル４７０’から青色光が出射される。
【００４９】
以上のように、本実施形態によるディスプレイ装置４００は、ＯＬＥＤ表示素子及びＬＣＤ素子が垂直に積層された構造を持っている。具体的に、第１基板４２０上に複数のＯＬＥＤピクセル４３０及び複数のブランクピクセル４４０が配置され、前記第２基板４６０上には、複数のＬＥＤピクセル４７０、４７０’が前記ブランクピクセル４４０と対応して配列されている。ここで、前記ＯＬＥＤピクセル４３０は、赤色光Ｒ、緑色光Ｇ及び青色光Ｂを出射し、前記ＬＥＤピクセル４７０、４７０’は、青色光Ｂを出射する。ここで、前記ＬＥＤピクセル４７０、４７０’から放出される青色光Ｂは、第１基板４２０上に設けられたブランクピクセル４４０を透過して外部に出射される。ＯＬＥＤ表示素子は、青色に対する色再現性が少し劣り、青色ピクセルの寿命が短くなるという短所があるところ、本実施形態は、青色光を出射するＬＥＤピクセル４７０、４７０’を用いてＯＬＥＤ表示素子の青色ピクセルに対する問題点を補うことができる。すなわち、本実施形態によるディスプレイ装置では第１基板４２０上に赤色光Ｒ、緑色光Ｇ及び青色光Ｂを出射する複数のＯＬＥＤピクセル４３０及び青色光を透過させる複数のブランクピクセル４４０を配置して、第２基板４６０上に青色光Ｂを出射する複数のＬＥＤピクセル４７０をブランクピクセル４４０に対応するように配置する。ここで、前記ＬＥＤピクセル４７０から放出される青色光Ｂは、ブランクピクセル４４０を通じて外部に出射される。前記ＯＬＥＤピクセル４３０は、イメージを形成する役割を行い、前記ブランクピクセル４４０を透過する青色光Ｂを放出するＬＥＤピクセル４７０、４７０’は、青色光を出射するＯＬＥＤピクセル４３０を補うか、または取り替える役割を行う。これによって、イメージの青色に対する色再現性を向上させられるので、実際イメージに最大限近いイメージが具現される。また、ディスプレイ装置４００の寿命も延びる。さらに、ＬＥＤピクセル４７０の白色バックライトユニット４７１を青色ＬＥＤ光源と赤色量子点及び緑色量子点とで構成する場合には、色再現性をさらに向上させる。
【００５０】
図１９は、他の例示的な実施形態によるディスプレイ装置５００を示す断面図である。図１９に示されたディスプレイ装置５００の平面図は、図１３と同一である。以下では、前述した実施形態と異なる点を中心として説明する。
【００５１】
図１９を参照すれば、第１基板５２０及び第２基板５６０が互いに対向して離隔して設けられている。前記第１基板５２０は、第２基板５６０よりディスプレイ装置５００の前面側に配置される。前記第１基板５２０上にはＯＬＥＤ表示素子が設けられており、前記第２基板５６０上にはＬＣＤ素子が設けられている。前記ＯＬＥＤ表示素子は、第１基板５２０上に配置される複数のＯＬＥＤピクセル５３０及び複数のブランクピクセル５４０を備える。そして、前記ＬＣＤ素子は、第２基板５６０上に配置される複数のＬＥＤピクセル５７０を備え、前記ＬＥＤピクセル５７０は、ＬＥＤを光源として使うバックライトユニットを備える。ここで、前記ＬＥＤピクセル５７０は、ブランクピクセル５４０に対応して設けられる。
【００５２】
前記ＯＬＥＤピクセル５３０は、第１基板５２０上に所定形態に配列されており、前記ブランクピクセル５４０は、ＯＬＥＤピクセル５３０の間に所定形態に配列されている。前記ＯＬＥＤピクセル５３０それぞれは、所定の原色光（すなわち、赤色光、緑色光または青色光）を出射する。例えば、いずれか一つのＯＬＥＤピクセル５３０が赤色光を出射する赤色ピクセルである場合、この赤色ピクセルの周りにあるＯＬＥＤピクセル５３０は、緑色光を出射する緑色ピクセル及び青色光を出射する青色ピクセルになる。前記ＯＬＥＤピクセル５３０は、前述した図１５に示されたＯＬＥＤピクセル４３０や、図１６に示されたＯＬＥＤピクセル４３０’と同一であるので、これに関する説明は略する。前記ブランクピクセル５４０は、後述するＬＥＤピクセル５７０から出射される白色光を透過させるピクセルを意味する。よって、前記ＬＥＤピクセル５７０から放出される白色光は、ブランクピクセル５４０を透過して外部に出射される。前記ブランクピクセル５４０は、第１基板５２０上に貫通孔５２０ａを形成することで設けられる。これらのブランクピクセル５４０は、ＯＬＥＤピクセル５３０の間に規則的な形態に配列されるか、またはランダムな形態に配列される。前記ＬＥＤピクセル５７０は、第２基板５６０上にブランクピクセル５４０に対応する位置に設けられる。これによって、前記ＬＥＤピクセル５７０は、ブランクピクセル５４０と同じ形態に配列される。前記ＬＥＤピクセル５７０は、白色光を出射する。
【００５３】
図２０は、図１９に示されたＬＥＤピクセル５７０の断面図である。図２０を参照すれば、ＬＥＤピクセル５７０は、白色光を出射する白色バックライトユニット５７１と、前記白色バックライトユニット５７１から入射された白色光を選択的に透過させる液晶パネル５７２とを備える。前記白色バックライトユニット５７１は、ＬＥＤ光源を備える。具体的に、前記白色バックライトユニット５７１は、青色光を放出する青色ＬＥＤ光源と、前記青色ＬＥＤ光源から放出された青色光によって励起されてそれぞれ赤色光及び緑色光を放出する赤色量子点及び緑色量子点と、を備える。このように、白色バックライトユニット５７１が青色ＬＥＤ光源と、赤色量子点及び緑色量子点とを備える場合には、赤色に対する感度を向上させて色再現性を向上させる。一方、前記白色バックライトユニット５７１は、赤色、緑色及び青色のＬＥＤ光源を備えるか、またはＵＶ  ＬＥＤ光源と赤色、緑色及び青色の蛍光体を備える。また、前記白色バックライトユニット５７１は、青色ＬＥＤ光源及び黄色蛍光体を備えてもよい。
【００５４】
前記白色バックライトユニット５７１から出射される白色光は、液晶パネル５７２側に入射される。前記液晶パネル５７２は、第１偏光板５７３、液晶層５７４及び第２偏光板５７５を備える。ここで、前記液晶層５７４は、光シャッターの役割を行うものであり、入射される白色光を選択的に透過させる役割を行う。前記液晶層５７４の駆動のために液晶層５７４の上下面には電極（図示せず）が設けられており、前記電極のうちいずれか一つは薄膜トランジスタと連結されている。これによって、前記ＬＥＤピクセル５７０から白色光が出射される。
【００５５】
本実施形態では、白色光を出射するＬＥＤピクセル５７０を用いてＯＬＥＤ表示素子の輝度及び寿命問題を補う。すなわち、本実施形態によるディスプレイ装置５００では、第１基板５２０上に赤色光Ｒ、緑色光Ｇ及び青色光Ｂを出射する複数のＯＬＥＤピクセル５３０及び白色光Ｗを透過させる複数のブランクピクセル５４０を配置し、第２基板５６０上にブランクピクセル５４０に対応する複数のＬＥＤピクセル５７０を配置する。ここで、前記ＬＥＤピクセル５７０から放出された白色光Ｗは、ブランクピクセル５４０を通じて外部に出射される。前記ＯＬＥＤピクセル５３０は、イメージを形成する役割を行い、前記ブランクピクセル５４０を透過する白色光Ｗを放出するＬＥＤピクセル５７０は、イメージを明るくする役割を行う。これによって、ディスプレイ装置５００の輝度を向上させ、その寿命も延ばせる。さらに、前記ＬＥＤピクセル５７０の白色バックライトユニット５７１を、青色ＬＥＤ光源と、赤色量子点及び緑色量子点とで構成する場合には、白色に対する色再現性をさらに向上させ得る。
【００５６】
図２１は、他の例示的な実施形態によるディスプレイ装置６００を示す断面図である。図２１に示されたディスプレイ装置６００の平面図は、図１３と同一である。以下では、前述した実施形態と異なる点を中心として説明する。
【００５７】
図２１を参照すれば、第１基板６２０及び第２基板６６０が互いに対向して離隔して設けられている。前記第１基板６２０は、第２基板６６０よりディスプレイ装置６００の前面側に配置される。前記第１基板６２０上には、ＯＬＥＤ表示素子が設けられており、前記第２基板６６０上にはＬＣＤ素子が設けられている。前記ＯＬＥＤ表示素子は、第１基板６２０上に配置される複数のＯＬＥＤピクセル６３０及び複数のブランクピクセル６４０を備える。そして、前記ＬＣＤ素子は、第２基板６６０上に配置される複数のＬＥＤピクセル６７０を備え、前記ＬＥＤピクセル６７０は、ＬＥＤを光源として使うバックライトユニットを備える。ここで、前記ＬＥＤピクセル６７０は、ブランクピクセル６４０に対応して設けられる。
【００５８】
前記ＯＬＥＤピクセル６３０は、第１基板６２０上に配列されており、前記ブランクピクセル６４０は、前記ＯＬＥＤピクセル６３０の間に配列されている。前記ＯＬＥＤピクセル６３０は、白色光を出射し、前記ブランクピクセル６４０は、後述するＬＥＤピクセル６７０から放出される所定の原色光（赤色光、緑色光または青色光）を透過させる。前記ＬＥＤピクセル６７０は、第２基板６６０上にブランクピクセル６４０と対応して配列されている。前記ＬＥＤピクセル６７０は、赤色光Ｒ、緑色光Ｇ及び青色光Ｂを出射する。前記ＬＥＤピクセル６７０それぞれは、所定の原色光（すなわち、赤色光、緑色光または青色光）を出射する。例えば、いずれか一つのＬＥＤピクセル６７０が、赤色光を出射する赤色ピクセルである場合、この赤色ピクセルの周りにあるＬＥＤピクセル６７０は、緑色光を出射する緑色ピクセル及び青色光を出射する青色ピクセルになる。
【００５９】
図２２は、図２１に示されたＯＬＥＤピクセル６３０の断面図である。図２２を参照すれば、ＯＬＥＤピクセル６３０は、互いに離隔して配置される第１電極６３１及び第２電極６３２と、前記第１電極６３１と前記第２電極６３２との間に設けられる白色有機発光層６３３と、を備える。前記第１電極６３１及び前記第２電極６３２は、アノード電極及びカソード電極になる。一方、前記第１電極６３１及び前記第２電極６３２がカソード電極及びアノード電極になってもよい。前記第１電極６３１及び前記第２電極６３２のうちいずれか一つの電極は共通電極になり、他の一つの電極は画素電極になる。この場合、前記画素電極は、ＯＬＥＤピクセル６３０を選択的に駆動できる薄膜トランジスタ（図示せず）と連結される。
【００６０】
前記第１電極６３１と前記第２電極６３２との間には、白色光を発生させる白色有機発光層６３３が設けられている。前記白色有機発光層６３３は、第１電極６３１と前記第２電極６３２との間に電流が印加されることで白色光を放出するものであり、複数の発光層（例えば、赤色、緑色及び青色の発光層）が積層された構造を持つ。一方、前記第１基板６２０上には、白色有機発光層６３３から放出された白色光を第２電極６３２側に反射させるための反射板（図示せず）が設けられてもよい。そして、図面には示されていないが、アノード電極である第１電極６３１と白色有機発光層６３３との間には、正孔注入層及び／または正孔輸送層がさらに設けられ、カソード電極である第２電極６３２と白色有機発光層６３３との間には電子注入層及び／または電子輸送層がさらに設けられる。
【００６１】
図２３は、図２１に示されたＬＥＤピクセル６７０の断面図である。図２３を参照すれば、ＬＥＤピクセル６７０は、白色光を出射する白色バックライトユニット６７１と、前記白色バックライトユニット６７１から入射された白色光を用いて所定の原色光（赤色光、緑色光または青色光）を放出する液晶パネル６７２と、を備える。前記白色バックライトユニット６７１は、ＬＥＤ光源を備える。具体的に、前記白色バックライトユニット６７１は、青色光を放出する青色ＬＥＤ光源と、前記青色ＬＥＤ光源から放出された青色光によって励起されてそれぞれ赤色光及び緑色光を放出する赤色量子点及び緑色量子点と、を備える。このように、白色バックライトユニット６７１が青色ＬＥＤ光源と、赤色量子点及び緑色量子点とを備える場合には、赤色に対する感度を高めることで色再現性を向上させる。一方、前記白色バックライトユニット６７１は、赤色、緑色及び青色のＬＥＤ光源を備えるか、またはＵＶ  ＬＥＤ光源と赤色、緑色及び青色の蛍光体とを備える。また、前記白色バックライトユニット６７１は、青色ＬＥＤ光源及び黄色蛍光体を備えてもよい。
【００６２】
前記白色バックライトユニット６７１から出射される白色光は、液晶パネル６７２側に入射される。前記液晶パネル６７２は、第１偏光板６７３、液晶層６７４、第２偏光板６７５及びカラーフィルタ６７６を備える。ここで、前記液晶層６７４は、光シャッターの役割を行うものであり、前記第１偏光板６７３を透過した白色光を選択的に透過させる役割を行う。前記液晶層６７４の駆動のために、液晶層６７４の上下面には電極（図示せず）が設けられており、前記電極のうちいずれか一つは薄膜トランジスタと連結されている。そして、前記カラーフィルタ６７６は、液晶層６７４を通過した白色光のうち所定の原色光のみを透過させて外部に出射させる。例えば、前記カラーフィルタ６７６が赤色カラーフィルタである場合には、液晶層６７４を通過した白色光のうち赤色光のみがカラーフィルタ６７６を透過して外部に放出される。そして、前記カラーフィルタ６７６が緑色カラーフィルタである場合には、液晶層６７４を通過した白色光のうち緑色光のみがカラーフィルタ６７６を透過して外部に放出され、前記カラーフィルタ６７６が青色カラーフィルタである場合には、液晶層６７４を通過した白色光のうち青色光のみがカラーフィルタ６７６を透過して外部に放出される。
【００６３】
図２４には、図２１に示されたＬＥＤピクセル６７０の変形例が示されている。図２４を参照すれば、ＬＥＤピクセル６７０’は、所定の原色光（赤色光、緑色光または青色光）を出射するバックライトユニット６７１’と、前記バックライトユニット６７１’から入射された所定の原色光を選択的に透過させる液晶パネル６７２’と、を備える。前記バックライトユニット６７１’は、ＬＥＤ光源を備える。具体的に、前記バックライトユニット６７１’は、赤色ＬＥＤ光源、緑色ＬＥＤ光源または青色ＬＥＤ光源を備える。前記バックライトユニット６７１’から出射される所定色相の光は、液晶パネル６７２’側に入射される。前記液晶パネル６７２’は、第１偏光板６７３’、液晶層６７４’、及び第２偏光板６７５’を備える。ここで、前記液晶層６７４’は、光シャッターの役割を行うものであり、前記第１偏光板６７３’を透過した所定色相の光を選択的に透過させる役割を行う。前記液晶層６７４’の駆動のために、液晶層６７４’の上下面には電極（図示せず）が設けられており、前記電極のうちいずれか一つは、薄膜トランジスタと連結されている。
【００６４】
本実施形態によるディスプレイ装置６００では、第１基板６２０上に白色光Ｗを放出する複数のＯＬＥＤピクセル６３０及び所定色相の光を透過させる複数のブランクピクセル６４０を配置し、第２基板６６０上に、ブランクピクセル６４０に対応して赤色光Ｒ、緑色光Ｇ及び青色光Ｂを出射する複数のＬＥＤピクセル６７０、６７０’を配置する。ここで、前記ＬＥＤピクセル６７０、６７０’から放出される所定色相の光は、ブランクピクセル６４０を透過して外部に出射される。前記ＬＥＤピクセル６７０、６７０’は、イメージを形成する役割を行い、前記ＯＬＥＤピクセル６３０は、イメージを明るくする役割を行う。これによって、ディスプレイ装置６００の輝度を向上させる。さらに、前記ＬＥＤピクセル６７０の白色バックライトユニット６７１を、青色ＬＥＤ光源と、赤色量子点及び緑色量子点とで構成する場合には、白色に対する色再現性をさらに向上させ得る。一方、前記ＯＬＥＤピクセル６７０、６７０’は、規則的な形態に配列されるか、またはランダムな形態に配列される。
【００６５】
図２５は、他の例示的な実施形態によるディスプレイ装置７００を示す分離斜視図である。そして、図２６は、図２５のＩＩＩ−ＩＩＩ’線の断面図である。
【００６６】
図２５及び図２６を参照すれば、ディスプレイ装置７００は、第１基板７２０及び第２基板７６０と、前記第１基板７２０上に配置されるものとして複数の赤色ＯＬＥＤピクセル７３０Ｒ、緑色ＯＬＥＤピクセル７３０Ｇ及びブランクピクセル７３５と、前記第１基板７２０と第２基板７６０との間に設けられるものとして第１貫通孔７５５が形成された反射板７５０と、前記第２基板７６０上に設けられる青色光放出ユニット７７０と、を備える。第１基板７２０及び第２基板７６０は、互いに対向して離隔して設けられている。ここで、前記第１基板７２０は、第２基板７６０よりディスプレイ装置７００の前面側に配置される。前記第１基板７２０及び第２基板７６０としては、多様な材質の基板が使われる。例えば、前記第１基板７２０及び第２基板７６０として、プラスチック基板のような柔軟な材質の基板が使われてもよく、またガラス基板のような硬い材質の基板が使われてもよい。
【００６７】
前記第１基板７２０上には、複数の赤色ＯＬＥＤピクセル７３０Ｒ、緑色ＯＬＥＤピクセル７３０Ｇ及びブランクピクセル７３５が配置されている。ここで、前記赤色ＯＥＬＤピクセル７３０Ｒ、緑色ＯＬＥＤピクセル７３０Ｇ及びブランクピクセル７３５は、順次に配置されている。前記赤色及び緑色のＯＬＥＤピクセル７３０Ｒ、７３０Ｇは、それぞれ赤色光、緑色光及び青色光を放出する。そして、前記ブランクピクセルは、青色光放出ユニット７７０から放出される青色光を透過させる。このために、前記ブランクピクセル７３５は、第１基板７２０に形成された第２貫通孔７２０ａを備える。
【００６８】
図２７Ａ及び図２７Ｂには、前記赤色及び緑色のＯＬＥＤピクセル７３０Ｒ、７３０Ｇの断面が示されている。図２７Ａ及び図２７Ｂを参照すれば、赤色ＯＬＥＤピクセル７３０Ｒは、第１電極７３１及び第２電極７３２と、前記第１電極７３１と第２電極７３２との間に設けられて赤色光を放出する赤色有機発光層７３３Ｒと、を備える。そして、緑色ＯＬＥＤピクセル７３０Ｇは、前記第１電極７３１及び第２電極７３２と、前記第１電極７３１と前記第２電極７３２との間に設けられて緑色光を放出する緑有機発光層７３３Ｇと、を備える。
【００６９】
前記第１電極７３１及び前記第２電極７３２は、アノード電極及びカソード電極になる。この場合、前記第１電極７３１は、例えば、ＩＴＯ、ＩＺＯ、ＳｎＯ２またはＺｎＯなどの透明な導電性物質を含むが、これらに限定されるものではない。そして、前記第２電極７３２は、例えば、Ａｌ、Ａｇ、Ｍｇ、ＬｉまたはＣａなどの金属やこれらの合金を含むが、これらに限定されるものではない。一方、前記第１電極７３１及び前記第２電極７３２がカソード電極及びアノード電極になってもよい。前記第１電極７３１及び前記第２電極７３２のうちいずれか一つの電極は、共通電極になり、他の一つの電極は画素電極になる。この場合、前記画素電極は、所定のＯＬＥＤピクセル７３０Ｒ、７３０Ｇを駆動できる所定薄膜トランジスタと連結される。
【００７０】
所定薄膜トランジスタの駆動によって第１電極７３１と第２電極７３２との間に電流が流れれば、アノード電極である第１電極７３１から所定の有機発光層７３３Ｒ、７３３Ｇに正孔が流れ込み、カソード電極である第２電極７３２から有機発光層７３３Ｒ、７３３Ｇに電子が流れ込むことで、前記有機発光層７３３Ｒ、７３３Ｇ内で正孔と電子とが結合して所定色相の光（赤色光または緑色光）が放出される。このように放出される所定色相の光は、第２電極７３２を通じて外部に出射される。一方、図面には示されていないが、アノード電極である第１電極７３１と有機発光層７３３Ｒ、７３３Ｇとの間には、正孔注入層及び／または正孔輸送層がさらに設けられ、カソード電極である第２電極７３２と有機発光層７３３Ｒ、７３３Ｇとの間には、電子注入層及び／または電子輸送層がさらに設けられる。
【００７１】
前記第１基板７２０の下部には反射板７５０が設けられている。ここで、前記反射板７５０は、赤色及び緑色のＯＬＥＤピクセル７３０Ｒ、７３０Ｇから放出される赤色光及び緑色光を第２電極７３２側に反射させる役割を行う。そして、前記反射板７５０には、ブランクピクセル７３５に対応する第１貫通孔７５５が形成されている。
【００７２】
前記第２基板７６０上には、青色光を放出する青色光放出ユニット７７０が設けられている。図２８には、青色光放出ユニット７７０の断面が示されている。図２８を参照すれば、青色光放出ユニット７７０は、青色光を出射する青色バックライトユニット７７１と、前記青色バックライトユニット７７１から入射された青色光を透過させる液晶パネル７７２とを備える。ここで、前記バックライトユニット７７１は、少なくとも一つの青色ＬＥＤ光源を備える。前記バックライトユニット７７１から出射される青色光は、液晶パネル７７２側に入射される。前記液晶パネル７７２は、第１偏光板７７３、液晶層７７４、及び第２偏光板７７５を備える。前記液晶層７７４は、光シャッターの役割を行うものであり、前記第１偏光板７７３を透過した青色光を選択的に透過させる役割を行う。具体的に、前記液晶層７７４は、ブランクピクセル７３５に対応する液晶が駆動することで青色光を選択的に透過させる。そして、このように透過された青色光は、第１貫通孔７７５及び第２貫通孔７２０ａを通じてブランクピクセル７３５から放出される。前記液晶層７７４の駆動のために、液晶層７７４の上下面には電極（図示せず）が設けられている。
【００７３】
前記のような構造において、図２６を参照すれば、赤色ＯＬＥＤピクセル７３０Ｒで発生した赤色光は上下方に放出され、下方に放出された赤色光は、反射板７５０によって反射して上方に向かう。そして、緑色ＯＬＥＤピクセル７３０Ｇで発生した赤色光は上下方に放出され、下方に放出された緑色光は、反射板７５０によって反射して上方に向かう。そして、青色光放出ユニット７７０から放出された青色光は、反射板７５０の第１貫通孔７７５及び第１基板７２０の第２貫通孔７２０ａを通過してブランクピクセル７３５の上方に向かう。ここで、前記ＯＬＥＤピクセル７３０Ｒ、７３０Ｇで発生する赤色光及び緑色光の強度は、第１電極７３１と第２電極７３２との間に流れる電流の量によって調節される。そして、前記青色光放出ユニット７７０で発生してブランクピクセル７３５を透過して出る青色光の強度は、ブランクピクセル７３５に対応する液晶層７７４の液晶を駆動することで調節される。
【００７４】
このように、本実施形態によるディスプレイ装置７００では、青色有機発光層の色再現性及び寿命問題を青色ＬＥＤ光源及び液晶を用いて解決する。これによって、青色に対する色再現性を向上させられるので、実際イメージに最大限近いイメージが具現され、ディスプレイ装置の寿命も延びる。
【００７５】
以上の例示的な実施形態によるディスプレイ装置によれば、複数のＯＬＥＤピクセルと複数のＬＥＤピクセルとが同一平面上に配置されるか、または互いに異なる平面上に配置されている。ここで、ＯＬＥＤピクセルが赤色光、緑色光及び青色光を放出し、ＬＥＤピクセルが青色光を放出する場合には、青色に対する色再現性を向上させることで実際イメージに最大限近いイメージが具現され、ディスプレイ装置の寿命も延びる。また、ＯＬＥＤピクセルが赤色光、緑色光及び青色光を放出し、ＬＥＤピクセルが白色光を放出する場合には、ＯＬＥＤピクセルのイメージ形成時にＬＥＤピクセルが輝度を向上させ、ディスプレイ装置の寿命も延ばせる。そして、ＯＬＥＤピクセルが白色光を放出し、ＬＥＤピクセルが赤色光、緑色光及び青色光を放出する場合には、ＬＥＤピクセルのイメージ形成時にＯＬＥＤピクセルが輝度を向上させる。ＬＥＤピクセルの白色バックライトユニットを青色ＬＥＤ光源と赤色量子点及び緑色量子点とで構成する場合には、色再現性をさらに向上させ得る。青色有機発光層の色再現性及び寿命問題を青色ＬＥＤ光源及び液晶を用いることで解決できるので、実際イメージに最大限近いイメージを具現でき、ディスプレイ装置の寿命も延ばせる。以上で例示的な実施形態を通じて技術的内容を説明したが、当業者ならば、これより多様な変形及び均等な他の実施形態が可能であるという点を理解できるであろう。
【産業上の利用可能性】
【００７６】
本発明は、ディスプレイ装置関連の技術分野に好適に用いられる。
【符号の説明】
【００７７】
１００、２００、３００、４００、５００、６００、７００    ディスプレイ装置
１１０、２１０、３１０    基板
１２０、１２０’、２２０、３２０、４３０、４３０’、６３０、７３０    ＯＬＥＤピクセル
１３０、１３０’、２３０、３３０、３３０’、４７０、４７０’、５７０、６７０、６７０’    ＬＥＤピクセル
１２１、１２１’、３２１、４３１、４３１’、６３１、７３１    第１電極
１２２、１２２’、３２２、４３２、４３２’、６３２、７３２    第２電極
１２３、４３３、７３３Ｒ、Ｇ、Ｂ    発光層
１２３’、４３３’    白色発光層
１２４’、４３４’    カラーフィルタ
１３１、２３１、３３１、４７１、５７１、６７１    白色バックライトユニット
１３１’、３３１’、４７１’、６７１’、７７１    青色バックライトユニット
１３２、１３２’、２３２、３３２、３３２’、４７２、４７２’、５７２、６７２、６７２’    液晶パネル
１３３、１３３’、２３３、３３３、３３３’、４７３、４７３’、５７３、６７３、６７３’、７７３    第１偏光板
１３４、１３４’、２３４、３３４、３３４’、４７４、４７４’、５７４、６７４、６７４’、７７４    液晶層
１３５、１３５’、２３５、３３５、３３５’、４７５、４７５’、５７５、６７５、６７５’、７７５    第２偏光板
１３６、３３６、４７６、６７６    青色カラーフィルタ
４２０、５２０、６２０、７２０    第１基板
４２０ａ、５２０ａ    貫通孔
４４０、５４０、６４０、７３５    ブランクピクセル
４６０、５６０、６６０、７６０    第２基板
７２０ａ    第２貫通孔
７５０    反射板
７５５    第１貫通孔
【図１】
2015072459.tif 000003
【図２】
2015072459.tif 000004
【図３】
2015072459.tif 000005
【図４】
2015072459.tif 000006
【図５】
2015072459.tif 000007
【図６】
2015072459.tif 000008
【図７】
2015072459.tif 000009
【図８】
2015072459.tif 000010
【図９】
2015072459.tif 000011
【図１０】
2015072459.tif 000012
【図１１】
2015072459.tif 000013
【図１２】
2015072459.tif 000014
【図１３】
2015072459.tif 000015
【図１４】
2015072459.tif 000016
【図１５】
2015072459.tif 000017
【図１６】
2015072459.tif 000018
【図１７】
2015072459.tif 000019
【図１８】
2015072459.tif 000020
【図１９】
2015072459.tif 000021
【図２０】
2015072459.tif 000022
【図２１】
2015072459.tif 000023
【図２２】
2015072459.tif 000024
【図２３】
2015072459.tif 000025
【図２４】
2015072459.tif 000026
【図２５】
2015072459.tif 000027
【図２６】
2015072459.tif 000028
【図２７Ａ】
2015072459.tif 000029
【図２７Ｂ】
2015072459.tif 000030
【図２８】
2015072459.tif 000031